(57)【要約】【課題】データ放送における４色の何れかの属性をもつ選択肢が表示される選択指示画面に対して、直感的に操作できるリモコン装置を備えたデジタル放送受信装置の提供。【解決手段】リモコン装置に、青・赤・緑・黄の各色の発光が可能な各ボタンを４×４のマトリックス状に配置して構成した入力手段２４を形成し、データ放送の選択肢画面の構成と同様の構成となるように、入力手段２４を各色で発光させる。これにより、表示画面上とリモコン装置上のインターフェースの構成を同様のものとし、直感的な操作を可能とさせる。【選択図】図５
2008035041.tif 000002
【特許請求の範囲】
【請求項１】
データ放送を受信可能なデジタル放送受信装置であって、リモコン装置との間で双方向に情報を送受信する情報送受信部と、前記データ放送に含まれる最大で４択となる色情報が付加された選択指示情報の画面配置情報及び色情報を取得する選択指示情報取得部と、を備え、
前記リモコン装置に、前記デジタル放送受信装置との間で双方向に情報を送受信する情報送受信部を備えさせ、且つ、前記選択指示情報に対する選択指示を行うための入力手段であって、それぞれに少なくとも４色の発光を行うことができる発光部を備えさせた入力手段を、縦横に４つずつマトリックス状に配置することにより、
前記選択指示情報を受信した際には、前記選択指示情報の画面の配置情報及び色情報に基づいて、入力手段配列情報を生成してこれを前記リモコン装置へと送信し、これを受信したリモコン装置において、当該入力手段配列情報に応じて前記各入力手段の発光部を発光させることにより、前記選択指示情報の表示画面構成と前記リモコン装置上の前記入力手段の発光の構成を近似させるようにすることを特徴とするリモコン装置を備えるデジタル放送受信装置。
【請求項２】
前記マトリックス状に配置された各入力手段の全てを、何れかの前記選択指示情報に対する選択指示キーとして割当てることにより、全ての前記入力手段の発光部を発光させるようにすると共に、前記選択指示情報の表示画面構成と前記リモコン装置上の前記入力手段の発光の構成を近似させるようにすることを特徴とする請求項１記載のリモコン装置を備えるデジタル放送受信装置。
【請求項３】
前記入力手段配列情報を生成した際に、前記デジタル放送受信装置において、当該入力手段配列情報に応じてリモコン装置からのキーコードを判別する為のキーコード判別テーブルを修正し、当該テーブルに基づいて、前記リモコン装置からの前記入力手段の入力により発生するキーコードを判別することを特徴とする請求項１又は請求項２に記載のリモコン装置を備えるデジタル放送受信装置。
【請求項４】
前記入力手段配列情報を受信した前記リモコン装置において、当該入力手段配列情報に応じて各入力手段に割当てるキーコードを変更することを特徴とする請求項１又は請求項２に記載のリモコン装置を備えるデジタル放送受信装置。
【請求項５】
前記入力手段の発光部を、各選択指示情報の別ごとに異なる周期で点滅させることを特徴とする請求項１乃至請求項４の何れか１つに記載のリモコン装置を備えるデジタル放送受信装置。
【発明の詳細な説明】
【技術分野】
【０００１】
本発明は、データ放送を受信可能なデジタル放送受信装置に関し、特に、４色で示される選択指示画面の構成に合わせて、リモコン装置の入力部分が発光するように構成したデジタル放送受信装置に関する。
【背景技術】
【０００２】
現在ではテレビに代表されるＡＶ機器のほとんど全てにリモコン装置が付属しているといってよく、リモコン装置は離れた場所から本体機器を操作できるため便利なものであるが、各機器の高機能化及び多機能化に伴いリモコン装置のボタン数が増加したこと等に起因して、その操作性が悪化する場合がある。このような問題に対して、操作可能なキーのみを発光させるなどしてユーザの利便性を向上させる技術が、特許文献１〜特許文献５によって開示されている。
【０００３】
【特許文献１】特開平５−１２８８２８号公報
【特許文献２】特開平１０−２８２９７号公報
【特許文献３】特開平１１−３１７９８６号公報
【特許文献４】特開２００１−３５９１７９号公報
【特許文献５】特開２００３−１４３４３５号公報
【発明の開示】
【発明が解決しようとする課題】
【０００４】
デジタル放送では、放送波に映像や音声とは別のデータを付加して配信するデータ放送が行われており、その内の１つとして、インタラクティブなサービス（例えば、クイズへの参加や、アンケートの実施など）を提供するために、青・赤・緑・黄の４色の何れかの属性をもつ選択肢をデータとして送信し、これに対するユーザの選択結果を、インターネットを介するなどして収集するものがある。当該機能をインターフェース面から共通化するために、社団法人電波産業界（ＡＲＩＢ）によって定められたガイドラインでは、リモコン装置に青・赤・緑・黄の“色キー”を用意することが求められている。
【０００５】
しかし、青・赤・緑・黄の選択肢を表示する画面のインターフェースについては必ずしも統一的な扱いがなされていない。即ち、ある番組では縦に４つの選択肢が並んでいる場合もあるし、他の番組では横に４つの選択肢が並んでいる場合がある。また、各色の並びの順番も必ずしも統一されていない。よって、リモコン装置上に青・赤・緑・黄のキーを固定して配置した場合、表示画面とキー配列の構成に齟齬が生じ、直感的な操作を行えなくなる虞があった。
【０００６】
加えて、青・赤・緑・黄で選択肢を識別するインターフェースは、色覚障害者には非常に問題を有するものとなる。
【０００７】
本発明は上述した点に鑑み、データ放送における４色の何れかの属性をもつ選択肢が表示される選択指示画面に対して、直感的に操作できるリモコン装置を備えたデジタル放送受信装置を提供することを目的とする。
【課題を解決するための手段】
【０００８】
請求項１のリモコン装置を備えるデジタル放送受信装置は、データ放送を受信可能なデジタル放送受信装置であって、リモコン装置との間で双方向に情報を送受信する情報送受信部と、前記データ放送に含まれる最大で４択となる色情報が付加された選択指示情報の画面配置情報及び色情報を取得する選択指示情報取得部と、を備え、前記リモコン装置に、前記デジタル放送受信装置との間で双方向に情報を送受信する情報送受信部を備えさせ、且つ、前記選択指示情報に対する選択指示を行うための入力手段であって、それぞれに少なくとも４色の発光を行うことができる発光部を備えさせた入力手段を、縦横に４つずつマトリックス状に配置することにより、前記選択指示情報を受信した際には、前記選択指示情報の画面の配置情報及び色情報に基づいて、入力手段配列情報を生成してこれを前記リモコン装置へと送信し、これを受信したリモコン装置において、当該入力手段配列情報に応じて前記各入力手段の発光部を発光させることにより、前記選択指示情報の表示画面構成と前記リモコン装置上の前記入力手段の発光の構成を近似させるようにすることを特徴とする。
【０００９】
上記構成によれば、リモコン装置に少なくとも４色の発光を行うことができる発光部を備えさせた入力手段が４×４のマトリックス状に配置（即ち１６個の入力手段）されるため、画面上で青・赤・緑・黄の４色の属性をもつ選択肢がどのような並び（配置）となっても、リモコン装置上の入力手段において同様の配置に（各色の配置が画面上と同様の配置となるように）することが可能となる。
【００１０】
請求項２のリモコン装置を備えるデジタル放送受信装置は、請求項１記載のリモコン装置を備えるデジタル放送受信装置であって、前記マトリックス状に配置された各入力手段の全てを、何れかの前記選択指示情報に対する選択指示キーとして割当てることにより、全ての前記入力手段の発光部を発光させるようにすると共に、前記選択指示情報の表示画面構成と前記リモコン装置上の前記入力手段の発光の構成を近似させるようにすることを特徴とする。
【００１１】
上記構成によれば、１６個の入力手段の全てが何れかの“選択指示情報”に対する選択指示キーとして割当てられ、これにより何れかの色で全ての入力手段の発光部が発光することとなる。
【００１２】
請求項３のリモコン装置を備えるデジタル放送受信装置は、請求項１又は請求項２に記載のリモコン装置を備えるデジタル放送受信装置であって、前記入力手段配列情報を生成した際に、前記デジタル放送受信装置において、当該入力手段配列情報に応じてリモコン装置からのキーコードを判別する為のキーコード判別テーブルを修正し、当該テーブルに基づいて、前記リモコン装置からの前記入力手段の入力により発生するキーコードを判別することを特徴とする。
【００１３】
上記構成によれば、リモコン装置から送信されるキーコード自体の変更はされずに、これを受信したデジタル放送受信装置側において、各入力手段が何れの「“選択指示情報”に対する選択指示キー」に該当するのかの判断（リモコン装置から受信したキーコードが指示する内容）が、修正されたキーコード判別テーブルに基づいてなされる。
【００１４】
請求項４のリモコン装置を備えるデジタル放送受信装置は、請求項１又は請求項２に記載のリモコン装置を備えるデジタル放送受信装置であって、前記入力手段配列情報を受信した前記リモコン装置において、当該入力手段配列情報に応じて各入力手段に割当てるキーコードを変更することを特徴とする。
【００１５】
上記構成によれば、リモコン装置側において、デジタル放送受信装置が正常に「“選択指示情報”に対する選択指示キー」であることを判断できるように、キーコードが変更されて送信される。
【００１６】
請求項５のリモコン装置を備えるデジタル放送受信装置は、請求項１乃至請求項４の何れか１つに記載のリモコン装置を備えるデジタル放送受信装置であって、前記入力手段の発光部を、各選択指示情報の別ごとに異なる周期で点滅させることを特徴とする。
【００１７】
上記構成によれば、例えば、青の選択肢に割当てられた入力手段（複数の場合あり）の発光部と、赤の選択肢に割当てられた入力手段（複数の場合あり）の発光部が、異なる周期で点滅して発光する。なお、「異なる周期で点滅」における“周期”には０や無限大の概念が含まれ、従って、点滅しないものも含む概念である。
【発明の効果】
【００１８】
本発明の請求項１の、データ放送を受信可能なデジタル放送受信装置であって、リモコン装置との間で双方向に情報を送受信する情報送受信部と、前記データ放送に含まれる最大で４択となる色情報が付加された選択指示情報の画面配置情報及び色情報を取得する選択指示情報取得部と、を備え、前記リモコン装置に、前記デジタル放送受信装置との間で双方向に情報を送受信する情報送受信部を備えさせ、且つ、前記選択指示情報に対する選択指示を行うための入力手段であって、それぞれに少なくとも４色の発光を行うことができる発光部を備えさせた入力手段を、縦横に４つずつマトリックス状に配置することにより、前記選択指示情報を受信した際には、前記選択指示情報の画面の配置情報及び色情報に基づいて、入力手段配列情報を生成してこれを前記リモコン装置へと送信し、これを受信したリモコン装置において、当該入力手段配列情報に応じて前記各入力手段の発光部を発光させることにより、前記選択指示情報の表示画面構成と前記リモコン装置上の前記入力手段の発光の構成を近似させるようにすることを特徴とするリモコン装置を備えるデジタル放送受信装置によれば、リモコン装置に少なくとも４色の発光を行うことができる発光部を備えさせた入力手段が４×４のマトリックス状に配置され、画面上で青・赤・緑・黄の４色の属性をもつ選択肢がどのような並び（配置）となっても、リモコン装置上の入力手段において同様の配置にすることが可能となり、画面上のインターフェースとリモコン装置上のインターフェースが共通化されるため、ユーザは画面を見ながらリモコン装置を直感的に操作することができ、ユーザの利便性に優れる。また、このことはユーザの誤操作（例えば“青”を選択しようとしたのに赤のボタンを押してしまうこと）も抑止できるものであり、従って、アンケート結果を収集する側にとってもより正確な結果を得られるという副次的な効果も有する。
【００１９】
本発明の請求項５の、前記入力手段の発光部を、各選択指示情報の別ごとに異なる周期で点滅させることを特徴とする請求項１乃至請求項４の何れか１つに記載のリモコン装置を備えるデジタル放送受信装置によれば、例えば、青の選択肢に割当てられた入力手段の発光部と、赤の選択肢に割当てられた入力手段の発光部が、異なる周期で点滅して発光するため、色覚障害者においても、それぞれの選択肢の相違を認識でき、デジタル放送受信装置側のみの対応によってユニバーサルデザイン化を図ることが可能となる。
【発明を実施するための最良の形態】
【００２０】
以下、本発明の具体的実施例について、図面を参照しながら説明する。なお、以下の実施態様は、本発明を具体化する際の一形態であって、本発明をその範囲内に限定するためのものではない。
【００２１】
図１は本実施例のデジタルテレビ（デジタル放送受信装置の一例）の本発明に関する構成の概略を示すブロック図であり、図２は同デジタルテレビと放送局側との間における情報の送受信のための構成の概略を示すブロック図である。図３〜図４は同デジタルテレビの本発明に関する動作の概略を示すフローチャートである。
【００２２】
図１に示されるように、デジタルテレビ１は、装置全体の制御や各種演算処理などを行う制御部１０１と、記憶部１０２と、各周波数のデジタル放送波を受信するチューナ部１０３と、チューナ部１０３によって受信された信号のデジタル復調処理や、ＭＰＥＧ規格に準じた複号化処理などを行うＭＰＥＧ部１０４と、データ放送に含まれる選択指示情報の画面配置情報及び色情報を取得する選択指示情報取得部１０５と、ユーザに対する入力インターフェースとなるリモコン装置２と、同じく入力インターフェースである本体操作部１１０と、リモコン装置２との間で信号を送受信する発光部１１２・受光部１１１（情報送受信部）と、本体操作部１１０若しくは受光部１１１からの信号内容を判別するキー判別部１０９と、ＭＰＥＧ部１０４から出力された映像データを表示部１０８へと表示させる処理を行う表示処理部１０７と、表示部１０８と、家庭内ＬＡＮ２０３へのデータの送受信を行う通信部１０６と、などを備える。
【００２３】
図２に示されるように、デジタルテレビ１は放送局２１１から放送されるデジタル放送を受信・表示するものであり、デジタル放送に含まれるデータ放送によるアンケートの回答などを、インターネットを介して放送局側へと送信できるように構成される。即ち、デジタルテレビ１は家庭内ＬＡＮ２０３上に接続され、インターネットを介して放送局側のサーバ２１２へと情報を送信できる（放送局側からインターネットを介して情報（アンケート情報等）を受信できるものであってもよい）ものである。
【００２４】
リモコン装置２には、リモコン装置の制御や各種演算処理などを行うリモコン制御部２１と、本体との間で信号を送受信する発光部２２・受光部２３（情報送受信部）と、データ放送に対する回答等の入力を行うための入力手段２４と、などを備える。入力手段２４は、４×４のマトリックス状に配置されたボタンによって構成され、各ボタンには青・赤・緑・黄の４色の発光を行うことができるＬＥＤ（フルカラー発光可能なＬＥＤを１つ設けるものでも、単色のＬＥＤを４つ設けるものであっても構わない）がそれぞれ備えられている。
【００２５】
次に、上記構成のデジタルテレビ１の本発明に関する動作の概略を図３、図４を参照しつつ説明する。
【００２６】
ステップ３０１においてデータ放送（青・赤・緑・黄の４色の何れかの属性をもつ選択肢に関するデータ）の受信をした場合に、当該受信したデータから、選択指示情報取得部１０５によって選択肢の画面構成を取得する（ステップ３０２）。“選択肢の画面構成”とは、各色の選択肢が画面上にどのような配置となって表示されるのかを示すものであり、例えば、図５にその例を示したように、縦に選択肢が並んで配置されるもの（図ａ１）や、マトリックス状に配置されるもの（図ｂ１）、横に並んで配置されるもの（図ｃ１）など種々のパターンがある。なお、選択肢画面は、表示部１０８の画面全部に表示させるものの他、表示部１０８の画面の一部のエリアに表示されるものもあるが、本発明の概念を説明するにおいてこれらの差は特に関係ないため、“選択肢画面”の部分に関してのみ説明する。
【００２７】
ステップ３０３では、ステップ３０２において取得された各選択肢の色と配置のデータ（データ放送によって配信されるデータに含まれている情報）に基づいて、入力手段２４のキー（ボタン）配列を決定し、キー配列情報テーブル（入力手段配列情報）を生成して記憶部１０２に格納する。図６には、キー配列情報テーブル６０の一例を示した。各テーブル（図ａ）〜（図ｃ）は、図５の選択肢画面構成例（図ａ１）〜（図ｃ１）に対応したものである。即ち、“選択肢画面”における各色の選択肢の配置と、入力手段２４のキー配列構成とが同様の（類似する）ものとなるようにキー配列情報テーブル６０が構成される。なお、キー配列情報テーブル６０は、取得した“選択肢画面”のデータに基づいてその都度生成するものであっても構わないし、予め数パターンのキー配列情報テーブルを記憶部１０２に設定しておき、取得した“選択肢画面”に最も近いと判断されるキー配列情報テーブルを選択するものであっても構わない。
【００２８】
ステップ３０４では、ステップ３０３で生成した入力手段配列情報をリモコン装置２へと送信する。これを受信したリモコン装置２では（図４：ステップ４０１）、当該情報に基づいて入力手段２４の各ボタンのＬＥＤを発光させる処理を行う（ステップ４０２）。なお、図５には、入力手段２４の発光状態の一例を示している。選択肢画面構成例（図ａ１）〜（図ｃ１）に対応して、入力手段２４の発光状態がこれと同様の構成となっている（図ａ２）〜（図ｃ２）。
【００２９】
デジタルテレビ本体側では、ステップ３０３で生成したキー配列情報テーブル６０に応じてキーコード判別テーブルを修正する（図３：ステップ３０５）。キーコード判別テーブルとは、リモコン装置２から受信したキーコードに対し、それが何を意味しているのかを判別するための“対応表”である。図８にはキーコード判別テーブル８０の一例を示した。各テーブル（図ａ）〜（図ｃ）は、図６の各キー配列情報テーブル６０（図ａ）〜（図ｃ）に対応したものである。ここで、入力手段２４の各キー（ボタン）には便宜上の番号が付与されており、図７にその対応表を示した。
【００３０】
ユーザがリモコン装置２の入力手段２４を操作（何れかのボタンの入力）した際には（図４：ステップ４０３）、リモコン装置２から入力のあったボタンに該当するキーコードが送信され（ステップ４０４）、これを受信したデジタルテレビ本体では（図３：ステップ３０６）、キーコード判別テーブル８０に基づいてその内容を判別し（ステップ３０７）、当該指示に従った処理（選択された選択肢情報を通信部１０６から家庭内ＬＡＮ２０３へと送出し、インターネットを介して放送局側へと送信させる処理など）を実行する（ステップ３０８）。例えば、リモコン装置２のキー１３（入力手段２４の左下の隅のボタン）が入力された場合、リモコン装置２からキーコード“ｃｃｃｃ”が送信され、これを受信した本体側において、ユーザによってどの色の選択肢が選択されたのかをキーコード判別テーブル８０に基づいて判別するものであり、例えば、図８（ａ）の場合（即ち、図５（ａ１）・（ａ２）の状態）においては、ユーザの選択が“黄”であったと判断され、図８（ｂ）の場合（即ち、図５（ｂ１）・（ｂ２）の状態）においては、ユーザの選択が“緑”であったと判断されることとなる。
【００３１】
なお、“選択肢画面”に対する選択処理の終了などにより、“選択肢画面”の表示が終了した場合など（選択項目が無いような場合であって、ユーザによる選択行為が発生しない場合）には、“選択処理終了”の旨の情報を本体側からリモコン装置２側へと送信し、これを受信したリモコン装置２において入力手段２４の発光をやめるような処理としてもよい。これにより、入力手段２４に対する操作可能な期間をユーザが認識できる共に、省電力化が図られる。
【００３２】
以上のごとく、本実施例のデジタルテレビ１によれば、リモコン装置２に少なくとも４色の発光を行うことができる発光部を備えさせた入力手段（ボタン）２４が４×４のマトリックス状に配置され、画面上において青・赤・緑・黄の４色の属性をもつ選択肢がどのような並び（配置）となっていても、リモコン装置２上の入力手段２４において同様の配置にすることが可能となるため、画面上のインターフェースとリモコン装置上のインターフェースが共通化され、直感的に操作をすることができ、ユーザの利便性に優れる。また、入力手段２４の全てのボタンが有効（操作可能）となり、操作エリアが広い（例えば“青”を選択する際に、これに４個の隣接するボタンが対応するため、これらのうちのどこを押しても「青が選択された」と認識される）ため、誤操作が防止されるという効果も有する。
【００３３】
なお、図９と図１０には、キーコードをリモコン装置側でキー配列情報テーブルの構成に合わせて変更して送信するものの処理の概略を示した。図３と図４と同様の処理概念となるものについては同一の符号を使用している。
【００３４】
リモコン装置２においてキー配列情報テーブルの情報を本体から受信した際には（図１０：ステップ４０１）、これに応じてキーコードテーブルの内容を変更する（ステップ１００１）。キーコードテーブルとは、リモコン装置２の入力手段２４の各ボタンに対応するキーコードが格納されたテーブルである。図１１にはキーコードテーブル１１０の一例を示した。各テーブル（図ａ）〜（図ｃ）は、図６の各キー配列情報テーブル６０（図ａ）〜（図ｃ）に対応したものである。なお、入力手段２４のキーコードは本質的に青・赤・緑・黄の何れかを示すことができればいいものであるため、４種類のキーコードがあれば足りると言えるものであるが、図１１では、図８（ａ）のキーコードと同様のものを使用している（即ち、本体側のキーコード判別テーブルが図８（ａ）で固定されている場合を想定している）。この例によれば、コード“００００”〜“３３３３”は“青”として本体側において判断され、同じく“４４４４”〜“７７７７”は“赤”として、“８８８８”〜“ｂｂｂｂ”は“緑”として、“ｃｃｃｃ”〜“ｆｆｆｆ”は“黄”として、判断されることとなる。従って、リモコン装置２におけるキーコードテーブルの変更処理（ステップ１００１）においては、本体側において正しい色として認識されるように、それぞれのキーコードを割当てる（上記からも明らかなように、この例においては、例えば“青”を割当てるキーに対しては“００００”〜“３３３３”の内の何れのコードを割当てても構わない）処理がなされる。
【００３５】
上記処理により、本体側ではキーコード判別テーブルの変更処理を要することなく、リモコン装置２から送信されるキーコードの内容を判別して処理すればよい。なお、図９において、ステップ３０２で取得した情報をそのままリモコン装置２へと送信し、ステップ３０３の処理もリモコン装置側において行うようにしても構わない。
【００３６】
上記説明では、各ボタンを通常発光させるものを説明したが、例えば図１２に示されるような点灯周期対応テーブルを備えさせることにより、図４（若しくは図１０）のステップ４０２の、「入力手段２４の各ボタンのＬＥＤを発光させる処理」において、同テーブルを参照して、各ＬＥＤを各色に応じた周期で点滅させて発光させる処理を行わせるようにしてもよい（また、通常点灯タイプか点滅タイプかをユーザに選択させるものとしてもよい）。
【００３７】
これにより、各選択肢（色）が異なる周期で点滅することになるため、色覚障害者においても、入力手段２４におけるそれぞれの選択肢の相違を認識できるようになる。且つ、本発明によれば、画面表示上とリモコン装置上のインターフェース配置が同様の構成となるため、色覚障害者であっても、所望の選択肢を間違いなく選択することができるようになる。即ち、図１３（ａ３）・（ｂ３）に示したように、単に４つの発光可能なボタン１３０１を設けて各ボタンの発光を色に応じて異なる周期で点滅させるのみでは、点滅の速度と色との対応を記憶していなければ色覚障害者にはどのボタンがどの選択肢を示すものであるかを認識することができないが、本発明によれば、画面表示とリモコン装置上のインターフェース配置が同様の構成とされているため、画面に応じて“一番上の選択肢”や“左下の選択肢”を選択することができ、所望の選択肢を間違いなく選択することができる（点滅の速度と色との対応を記憶している必要が無い）ようになるのである。
【００３８】
又、リモコン装置の各ボタンに“青”などの文字表示をしている場合には、リモコン装置上のボタンが何の選択肢であるかを判別することはできるが、テレビ画面上で選択肢に“青”などの文字表示が付されていない場合には、画面上の選択肢の色を判別することができず、結果として所望の選択肢を選択することができないおそれがあるが、本発明によれば、画面に応じて“一番上の選択肢”や“左下の選択肢”を選択することができ、“色情報”に関係なく、“位置情報”によって選択肢を判別でき、色覚障害者であっても直感的に所望の選択肢を間違いなく選択することが可能になるのである。
【００３９】
なお、上記実施例中では、主に選択肢が４つの場合を例にして（図５（ｃ１）・（ｃ２）には選択肢が２つの場合を示している）説明してきたが、図１４に示されるように選択肢が３つであるような場合にも、入力手段２４のキー配列を画面構成に近似するような構成とさせることにより有効に適用できる。また、本実施例では、あくまで入力手段２４のボタン全部が発光するようにしている（全てのボタンを何れかの色に対応させている）が、入力手段２４の一部のボタンのみを有効にするようにしても構わない（例えば、図１５に示したように各選択肢に１つのボタンを割当てて、画面の構成と類似するようにさせるものであっても構わない）。
【００４０】
実施例では、デジタル放送受信装置の具体例としてデジタルテレビを例として説明しているが、本発明をいわゆるテレビに限定するものではなく、データ放送を受信可能なデジタル放送受信装置であってリモコン装置を備えるもの（例えば、デジタルチューナ内臓のセット・トップ・ボックスや、パソコンなどであってもよい）に対して有効に適用することができる。
【図面の簡単な説明】
【００４１】
【図１】デジタル放送受信装置の本発明に関する構成の概略を示すブロック図
【図２】デジタル放送（データ放送）の放送・受信システムの概略を示すブロック図
【図３】デジタル放送受信装置における本発明に関する処理の概略を示すフローチャート
【図４】リモコン装置における本発明に関する処理の概略を示すフローチャート
【図５】選択肢表示画面例とこれに応じた入力手段の点灯例を示す図
【図６】キー配列情報テーブルの一例を示した図
【図７】入力手段の各ボタンに付与した番号を示した表
【図８】キーコード判別テーブルの一例を示した図
【図９】デジタル放送受信装置における本発明に関する別の処理の概略を示すフローチャート
【図１０】リモコン装置における本発明に関する別の処理の概略を示すフローチャート
【図１１】キーコードテーブルの一例を示した図
【図１２】点灯周期対応テーブルの一例を示した図
【図１３】選択肢表示画面例とこれに応じた入力手段の点灯例を示す図
【図１４】選択肢表示画面例とこれに応じた入力手段の点灯例を示す図
【図１５】選択肢表示画面例とこれに応じた入力手段の点灯例を示す図
【符号の説明】
【００４２】
１      デジタル放送受信装置
２      リモコン装置
１０１  制御部
１０２  記憶部
１０３  チューナ部
１０５  選択指示情報取得部
１１１  発光部（情報送信部）
１１２  受光部（情報受信部）
２１    リモコン制御部
２２    発光部（情報送信部）
２３    受光部（情報受信部）
２４    入力手段
６０    キー配列情報テーブル（入力手段配列情報）
８０    キーコード判別テーブル
【図１】
2008035041.tif 000003
【図２】
2008035041.tif 000004
【図３】
2008035041.tif 000005
【図４】
2008035041.tif 000006
【図５】
2008035041.tif 000007
【図６】
2008035041.tif 000008
【図７】
2008035041.tif 000009
【図８】
2008035041.tif 000010
【図９】
2008035041.tif 000011
【図１０】
2008035041.tif 000012
【図１１】
2008035041.tif 000013
【図１２】
2008035041.tif 000014
【図１３】
2008035041.tif 000015
【図１４】
2008035041.tif 000016
【図１５】
2008035041.tif 000017